【手続補正書】
【提出日】平成22年1月29日(2010.1.29)
【手続補正１】
【補正対象書類名】明細書
【補正対象項目名】発明の名称
【補正方法】変更
【補正の内容】
【発明の名称】画像出力制御装置及び画像出力装置及び画像出力制御方法及び記憶媒体に関するものである。
【手続補正２】
【補正対象書類名】明細書
【補正対象項目名】特許請求の範囲
【補正方法】変更
【補正の内容】
【特許請求の範囲】
【請求項１】  第１の画像出力装置及び第２の画像出力装置と通信媒体を介して接続され、前記第１の画像出力装置及び第２の画像出力装置による画像出力を制御する画像出力制御装置であって、
前記第１の画像出力装置における出力部数の制限値をユーザに入力させるための画面を表示部に表示させる表示制御手段と、
前記画面から入力された前記制限値を記憶する第１の記憶手段と、
画像出力すべき画像データと出力部数を示す情報とを受信する受信手段と、
前記受信した画像データを前記第１の画像出力装置で出力させる第１の画像出力モードと、前記第１の画像出力装置と前記第２の画像出力装置の両方で出力させる第２の画像出力モードのどちらかを選択する出力モード選択手段と、を有し、
前記出力モード選択手段は、前記受信手段で受信した出力部数を示す情報が前記第１の記憶手段に記憶される制限値を超えない場合には前記第１の画像出力モードを選択し、前記制限値を超える場合には前記第２の画像出力モードを選択することを特徴とする画像出力制御装置。
【請求項２】  通信可能な複数の画像出力装置の中から前記第２の画像出力装置を選択する選択手段と、
前記複数の画像出力装置それぞれの優先順位を記憶する第２の記憶手段と、を有し、
前記選択手段は、前記第２の記憶手段に記憶される優先順位に基づいて前記第２の画像出力装置を選択することを特徴とする請求項１記載の画像出力制御装置。
【請求項３】  前記第２の記憶手段は、前記複数の画像出力装置それぞれの優先順位を複数種類記憶し、
前記選択手段は、指定された種類の前記優先順位に基づいて前記第２の画像出力装置を選択することを特徴とする請求項２記載の画像出力制御装置。
【請求項４】  前記表示制御手段は、前記第２の画像出力装置における出力部数の制限値をユーザに入力させるための画面を表示部に表示させ、
前記第１の記憶手段は、前記画面から入力された前記第２の画像出力装置における出力部数の制限値を記憶することを特徴とする請求項１乃至３の何れか１項に記載の画像出力制御装置。
【請求項５】  前記第２の画像出力モードは、前記受信手段で受信した出力部数のうち前記第１の画像出力装置の出力部数の制限値まで前記第１の画像出力装置で画像出力させ、残りの部数を前記第２の画像出力装置で画像出力させるモードであることを特徴とする請求項１乃至４の何れか１項に記載の画像出力制御装置。
【請求項６】  前記受信手段で受信した出力部数が、前記第１の画像出力装置の出力部数の制限値と前記第２の画像出力装置の出力部数の制限値の和よりも大きい場合、前記第２の画像出力モードは、前記第１の画像出力装置と前記第２の画像出力装置に均等に出力部数を割り当てるモードであることを特徴とする請求項４記載の画像出力制御装置。
【請求項７】  前記受信手段で受信した出力部数が、前記第１の画像出力装置の出力部数の制限値と前記第２の画像出力装置の出力部数の制限値の和よりも大きい場合、前記第２の画像出力モードは、前記第１の画像出力装置と前記第２の画像出力装置それぞれの出力部数の制限値に応じた割合で、前記第１の画像出力装置と前記第２の画像出力装置に出力部数を割り当てるモードであることを特徴とする請求項４記載の画像出力制御装置。
【請求項８】  通信媒体を介して他の画像出力装置と通信可能な画像出力装置であって、
前記画像出力装置における出力部数の制限値を記憶する第１の記憶手段と、
画像出力すべき画像データと出力部数を示す情報とを入力する入力手段と、
前記入力された画像データを前記画像出力装置で出力させる第１の画像出力モードと、前記画像出力装置と前記他の画像出力装置の両方で出力させる第２の画像出力モードのどちらかを選択する出力モード選択手段と、を有し、
前記出力モード選択手段は、前記入力手段で入力された出力部数を示す情報が前記第１の記憶手段に記憶される制限値を超えない場合には前記第１の画像出力モードを選択し、前記制限値を超える場合には前記第２の画像出力モードを選択することを特徴とする画像出力装置。
【請求項９】  前記画像出力装置における出力部数の制限値をユーザにより入力可能とするための操作部を更に有し、
前記第１の記憶手段は、前記操作部から入力された前記画像出力装置における出力部数の制限値を記憶することを特徴とする請求項８記載の画像出力装置。
【請求項１０】  通信可能な複数の画像出力装置の中から前記他の画像出力装置を選択する選択手段と、
前記複数の画像出力装置それぞれの優先順位を記憶する第２の記憶手段と、を有し、
前記選択手段は、前記第２の記憶手段に記憶される優先順位に基づいて前記他の画像出力装置を選択することを特徴とする請求項８又は９記載の画像出力装置。
【請求項１１】  前記第２の記憶手段は、前記複数の画像出力装置それぞれの優先順位を複数種類記憶し、
前記選択手段は、指定された種類の前記優先順位に基づいて前記他の画像出力装置を選択することを特徴とする請求項１０記載の画像出力装置。
【請求項１２】  前記操作部は、前記他の画像出力装置における出力部数の制限値をユーザにより入力可能とするものであり、
前記第１の記憶手段は、前記操作部から入力された前記他の画像出力装置における出力部数の制限値を記憶することを特徴とする請求項９乃至１１の何れか１項に記載の画像出力装置。
【請求項１３】  前記第２の画像出力モードは、前記入力手段で入力された出力部数のうち前記画像出力装置の出力部数の制限値まで前記画像出力装置で画像出力させ、残りの部数を前記他の画像出力装置で画像出力させるモードであることを特徴とする請求項８乃至１２の何れか１項に記載の画像出力装置。
【請求項１４】  前記入力手段で入力された出力部数が、前記画像出力装置の出力部数の制限値と前記他の画像出力装置の出力部数の制限値の和よりも大きい場合、前記第２の画像出力モードは、前記画像出力装置と前記他の画像出力装置に均等に出力部数を割り当てるモードであることを特徴とする請求項１２記載の画像出力装置。
【請求項１５】  前記入力手段で入力された出力部数が、前記画像出力装置の出力部数の制限値と前記他の画像出力装置の出力部数の制限値の和よりも大きい場合、前記第２の画像出力モードは、前記画像出力装置と前記他の画像出力装置それぞれの出力部数の制限値に応じた割合で、前記画像出力装置と前記他の画像出力装置に出力部数を割り当てるモードであることを特徴とする請求項１２記載の画像出力装置。
【請求項１６】  画像出力制御装置と通信媒体を介して接続された第１の画像出力装置及び第２の画像出力装置による画像出力を制御する画像出力制御方法であって、
前記第１の画像出力装置における出力部数の制限値をユーザに入力させるための画面を表示部に表示させる表示制御工程と、
前記画面から入力された前記制限値を第１の記憶手段に記憶する記憶工程と、
画像出力すべき画像データと出力部数を示す情報とを受信する受信工程と、
前記受信した画像データを前記第１の画像出力装置で出力させる第１の画像出力モードと、前記第１の画像出力装置と前記第２の画像出力装置の両方で出力させる第２の画像出力モードのどちらかを選択する出力モード選択工程と、を有し、
前記出力モード選択工程は、前記受信工程で受信した出力部数を示す情報が前記第１の記憶工程で記憶される制限値を超えない場合には前記第１の画像出力モードを選択し、前記制限値を超える場合には前記第２の画像出力モードを選択するように制御することを特徴とする画像出力制御方法。
【請求項１７】  通信可能な複数の画像出力装置の中から前記第２の画像出力装置を選択する選択工程と、
前記複数の画像出力装置それぞれの優先順位を第２の記憶手段に記憶する第２の記憶工程と、を有し、
前記選択工程は、前記第２の記憶工程で記憶される優先順位に基づいて前記第２の画像出力装置を選択することを特徴とする請求項１６記載の画像出力制御方法。
【請求項１８】  前記第２の記憶工程では、前記複数の画像出力装置それぞれの優先順位を複数種類記憶し、
前記選択工程では、指定された種類の前記優先順位に基づいて前記第２の画像出力装置を選択することを特徴とする請求項１７記載の画像出力制御方法。
【請求項１９】  前記表示制御工程では、前記第２の画像出力装置における出力部数の制限値をユーザに入力させるための画面を表示部に表示させ、
前記第１の記憶工程は、前記画面から入力された前記第２の画像出力装置における出力部数の制限値を前記第１の記憶手段に記憶することを特徴とする請求項１６乃至１８の何れか１項に記載の画像出力制御方法。
【請求項２０】  前記第２の画像出力モードは、前記受信工程で受信した出力部数のうち前記第１の画像出力装置の出力部数の制限値まで前記第１の画像出力装置で画像出力させ、残りの部数を前記第２の画像出力装置で画像出力させるモードであることを特徴とする請求項１６乃至１９の何れか１項に記載の画像出力制御方法。
【請求項２１】  前記受信工程で受信した出力部数が、前記第１の画像出力装置の出力部数の制限値と前記第２の画像出力装置の出力部数の制限値の和よりも大きい場合、前記第２の画像出力モードは、前記第１の画像出力装置と前記第２の画像出力装置に均等に出力部数を割り当てるモードであることを特徴とする請求項１９記載の画像出力制御方法。
【請求項２２】  前記受信工程で受信した出力部数が、前記第１の画像出力装置の出力部数の制限値と前記第２の画像出力装置の出力部数の制限値の和よりも大きい場合、前記第２の画像出力モードは、前記第１の画像出力装置と前記第２の画像出力装置それぞれの出力部数の制限値に応じた割合で、前記第１の画像出力装置と前記第２の画像出力装置に出力部数を割り当てるモードであることを特徴とする請求項１９記載の画像出力制御方法。
【請求項２３】  第１の画像出力装置及び第２の画像出力装置と通信媒体を介して接続され、前記第１の画像出力装置及び第２の画像出力装置による画像出力を制御する画像出力制御装置に、
前記第１の画像出力装置における出力部数の制限値をユーザに入力させるための画面を表示部に表示させる表示制御処理と、
前記画面から入力された前記制限値を記憶手段に記憶する記憶処理と、
画像出力すべき画像データと出力部数を示す情報とを受信する受信処理と、
前記受信した画像データを前記第１の画像出力装置で出力させる第１の画像出力モードと、前記第１の画像出力装置と前記第２の画像出力装置の両方で出力させる第２の画像出力モードのどちらかを選択する出力モード選択処理と、を実行させ、
前記出力モード選択処理では、前記受信処理で受信した出力部数を示す情報が前記記憶手段に記憶される制限値を超えない場合には前記第１の画像出力モードを選択し、前記制限値を超える場合には前記第２の画像出力モードを選択する処理を実行させるためのプログラムをコンピュータが読み取り可能に記憶した記憶媒体。
【手続補正３】
【補正対象書類名】明細書
【補正対象項目名】０００１
【補正方法】変更
【補正の内容】
【０００１】
【発明の属する技術分野】
本発明は、第１の画像出力装置及び第２の画像出力装置と通信媒体を介して接続され、前記第１の画像出力装置及び第２の画像出力装置による画像出力を制御する画像出力制御装置及び画像出力装置及び画像出力制御方法及び記憶媒体に関するものである。
【手続補正４】
【補正対象書類名】明細書
【補正対象項目名】００１５
【補正方法】変更
【補正の内容】
【００１５】
本発明は、上記の問題点を解決するためになされたもので、本発明の目的は、操作者の様々な出力要求に柔軟に対応できる画像出力制御装置及び画像出力装置及び画像出力制御方法及び記憶媒体を提供することである。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
【課題を解決するための手段】
本発明は、第１の画像出力装置及び第２の画像出力装置と通信媒体を介して接続され、前記第１の画像出力装置及び第２の画像出力装置による画像出力を制御する画像出力制御装置であって、前記第１の画像出力装置における出力部数の制限値をユーザに入力させるための画面を表示部に表示させる表示制御手段と、前記画面から入力された前記制限値を記憶する第１の記憶手段と、画像出力すべき画像データと出力部数を示す情報とを受信する受信手段と、前記受信した画像データを前記第１の画像出力装置で出力させる第１の画像出力モードと、前記第１の画像出力装置と前記第２の画像出力装置の両方で出力させる第２の画像出力モードのどちらかを選択する出力モード選択手段と、を有し、前記出力モード選択手段は、前記受信手段で受信した出力部数を示す情報が前記第１の記憶手段に記憶される制限値を超えない場合には前記第１の画像出力モードを選択し、前記制限値を超える場合には前記第２の画像出力モードを選択することを特徴とする。